(57)【要約】【課題】  一軸二操作方式のズームレンズにおいて、回転するつまみに、ビューファ内の方向や位置と相関関係のある操作部材を配置してしまうと、回転角度によって、相関関係が変化してしまい、撮影者が混乱してしまう。【解決手段】  回転可能な操作部の回転量を、可動光学部材の駆動指令とする撮影装置であって、前記操作部に複数の操作スイッチと、前記操作部の回転中心を基準に前記複数の操作スイッチの方向を判別する方向判別手段とを設け、前記方向判別手段が判別した方向により前記複数の操作スイッチの機能を変更する機能変更手段とを有したことを特徴とする撮影装置。【選択図】  図３
2011123243.tif 000002
【特許請求の範囲】
【請求項１】
回転可能な操作部の回転量を、可動光学部材の駆動指令とする撮影装置であって、前記操作部に複数の操作スイッチと、前記操作部の回転中心を基準に前記複数の操作スイッチの方向を判別する方向判別手段とを設け、前記方向判別手段が判別した方向により前記複数の操作スイッチの機能を変更する機能変更手段とを有したことを特徴とする撮影装置。
【請求項２】
前記方向判別手段は、前記操作部の回転角度と回転方向とを検出する回転角度検出部を設け、検出される前記回転角度と回転方向に基づき、前記機能変更手段は前記複数の操作スイッチの機能を変更することを特徴とする、請求項１記載の撮影装置。
【請求項３】
前記操作スイッチの機能の状態を表示する表示手段を設けたことを特徴とする請求項１〜２記載の撮影装置。
【請求項４】
回転可能な操作部の回転量を、可動光学部材の駆動指令とする撮影装置であって、前記操作部の固定軸に、複数の操作スイッチを設けたことを特徴とする撮影装置。
【請求項５】
前記複数の操作スイッチは、撮影範囲内における合焦エリアを設定することを特徴とする請求項１〜４記載の撮影装置。
【請求項６】
前記撮影装置は、ズームレンズのズーミングおよびフォーカシングを一つの操作棒の押し引きと回転で手動操作するズームレンズであって、前記回転可能な操作部によって、フォーカシングを操作することを特徴とする請求項１〜５記載の撮影装置。
【発明の詳細な説明】
【技術分野】
【０００１】
本発明は、ズーミング及びフォーカシングを一つの操作棒の押し引きと回転の２つの動作で操作する操作形態を持つ撮影装置、特に動画撮影用のテレビカメラ用ズームレンズに関するものである。
【背景技術】
【０００２】
テレビカメラにおけるズームレンズの操作方式のひとつに、一軸二操作方式がある。一軸二操作方式は、一つの操作棒を操作棒軸方向へ押引き操作することでズーミングを行い、また、操作棒に具備されたツマミを操作棒の中心軸周りに回転操作することでフォーカシングを行う方式である。一軸二操作方式におけるズームレンズにおいて、オートフォーカス機能を有する場合、オートフォーカス機能のオン・オフをするスイッチは、例えば、特許文献１に記載された操作ツマミに設けられる。
【先行技術文献】
【特許文献】
【０００３】
【特許文献１】特開２００６−７１９０１号公報
【発明の概要】
【発明が解決しようとする課題】
【０００４】
ところで、オートフォーカス機能を備えた撮影装置には、撮影画面内における焦点検出エリアを撮影者が視認できるようにビューファへ表示する機能と、焦点検出エリアをビューファ内において移動する機能がある。焦点検出エリアを移動する手段は、移動する方向を指示するためのジョイスティックや十字スイッチ、また、位置を指示するための多点スイッチやタッチパッドなどがある。しかしながら、上記従来例のように、回転するツマミに、ビューファ内の方向や位置と相関関係のある操作部材を配置してしまうと、回転角度によって、相関関係が変化してしまい、撮影者が混乱するという課題がある。
【０００５】
そこで、本発明の目的は、上記の問題を解決するため、撮影者が操作棒を操作した際にも、ビューファ内の方向や位置と相関関係が保てる撮影装置を提供することにある。
【課題を解決するための手段】
【０００６】
上記目的を達成するために、本発明の撮影装置は、回転可能な操作部の回転量を、可動光学部材の駆動指令とする撮影装置であって、前記操作部に複数の操作スイッチと、前記操作部の回転中心を基準に前記複数の操作スイッチの方向を判別する方向判別手段とを設け、前記方向判別手段が判別した方向により前記複数の操作スイッチの機能を変更する機能変更手段とを有したことを特徴とする。
【０００７】
本発明の更なる目的又はその他の特徴は、以下、添付の図面を参照して説明される好ましい実施例等によって明らかにされるであろう。
【発明の効果】
【０００８】
本発明によれば、押し引き操作棒の操作つまみを回転しても、焦点検出エリア移動操作部の操作方向や操作位置と撮影画面内における焦点検出エリアの移動方向や位置の相関関係が変化しない。そのため、撮影者が、操作する方向や位置を混乱することなく、焦点検出エリアの移動や位置を操作できる、といった効果が得られる。
【図面の簡単な説明】
【０００９】
【図１】本発明の第１の実施例における撮影形態を示す
【図２】本発明の第１の実施例におけるブロック図を示す
【図３】本発明の第１の実施例における操作つまみ部拡大断面図を示す
【図４】本発明の第１の実施例における操作つまみ部の撮影者対向面を示す
【図５】本発明の第１の実施例における検出板を示す
【図６】本発明の第２の実施例における操作つまみ部の撮影者対向面を示す
【図７】本発明の第３の実施例におけるブロック図を示す
【図８】本発明の第３の実施例における操作つまみ部拡大断面図を示す
【図９】本発明の第３の実施例における操作つまみ部の撮影者対向面を示す
【図１０】本発明の第３の実施例におけるフローチャートを示す
【図１１】本発明の第４の実施例におけるブロック図を示す
【図１２】本発明の第４の実施例における操作つまみ部拡大断面図を示す
【発明を実施するための形態】
【００１０】
以下に、本発明の実施の形態を添付の図面に基づいて詳細に説明する。
【実施例１】
【００１１】
第１の実施形態について、図１〜図５を用いて説明する。
【００１２】
図１は、一軸二操作方式の撮影形態を表したもので、図２は、本実施例におけるブロック図を示したものである。撮影者３０のレンズ操作内容について説明する。撮影者３０は、レンズ本体３１に接続された操作棒３の先端にある押引き操作つまみ部１ａを操作して、撮影を行う。レンズ本体３１には、図示していないフォーカスレンズ部、ズームレンズ部を有しており、それぞれ可動部を具備している。各可動部は、レンズ移動群とモータを有した駆動部から構成され、レンズ制御部４２から制御信号を受け、モータを回転することで、所望のレンズ間隔になるようにレンズ移動群が移動する。ここで、撮影者３０が、押引き操作つまみ部１ａを操作棒３の軸方向へ押したり、引いたりすると、その移動量は、レンズ本体３１内部の押引き操作棒リニア検出部４１により検出される。レンズ制御部４２は、検出された移動量に基づいて、ズームレンズ部を駆動する。また、撮影者３０が押引き操作つまみ部１ａを操作棒３の軸周りに回転すると、その回転量は、レンズ本体３１内部の押引き操作棒回転検出部４０により検出される。レンズ制御部４２は、検出された回転量に基づいて、フォーカスレンズ部を駆動する。
【００１３】
図３は、押引き操作つまみ部１ａの拡大断面図を示したものである。押引き操作つまみ部１ａの撮影者３０と対向する面には、撮影画面内における焦点検出エリアを指示する焦点検出エリア移動操作部２を有している。焦点検出エリア移動操作部２は、上下左右の方向を指示する十字スイッチ方式である。合焦制御時、合焦制御部４３は、撮影画面内で、指示された焦点検出エリアに対して、フォーカス合焦位置を算出する。このとき、オートフォーカス機能がオンとされると、算出したフォーカス位置を指令信号として、レンズ制御部４２は、フォーカスレンズ部を駆動する。
【００１４】
焦点検出エリア移動操作部２は、押引き操作つまみ部１ａの外周を巻くように設けたスリップリング回転部４と接続している。また、筐体８ａの内径部にあり、常にスリップリング回転部４と接するように板バネ状になっているスリップリング接点部５は、コネクタ９、ケーブル１０を介して、レンズ制御部４２と接続している。ここで、筐体８ａは、押引き操作つまみ部１ａの外径にあるベアリング１２を介して固定され、筐体８ａより重いウェイト１１を下部に設けているため、押引き操作つまみ部１が回転しても、その場に留まろうとする。このとき、前述したスリップリング回転部４とスリップリング接点部５は、電気的な接続が保たれているため、押引き操作つまみ部１が回転しても、ケーブル等が絡まることなく、焦点検出エリア移動操作部２を操作することができる。
【００１５】
次に、焦点検出エリア移動操作部２の操作方向と、撮影画面内における焦点検出エリアの移動方向の関係について、図４、５を用いて説明する。図４は、押引き操作つまみ部１ａの撮影者３０と対向する面を表しており、中心には、焦点検出エリア移動操作部２を有している。焦点検出エリア移動操作部２の操作方向は、上方向が２０ａ、右方向が２０ｂ、下方向が２０ｃ、左方向が２０ｄのように割り振られており、図の方向と、撮影画面内における焦点検出エリアの移動方向に相関関係がある。このとき、押引き操作つまみ部１ａの外周部にある検出板６ａ、６ｂは、図５に示す位置関係となっている。検出板６ａ、６ｂは、筐体８ａに設けたフォトインタラプタ７ａ、７ｂが反応する遮光するエリアと透過するエリアがあり、例えば、図の黒くなった部分では、Ｈｉｇｈ信号、白い部分では、Ｌｏｗ信号がフォトインタラプタから出力される。図４のように操作方向２０ａが上と設定されているとき、フォトインタラプタ７ａ、７ｂに対応する検出板の位置は、６０ａ、６１ａのようになり、フォトインタラプタ７ａからＨｉｇｈ信号、フォトインタラプタ７ｂからＨｉｇｈ信号が出力される。このフォトインタラプタの出力信号の組合せを元に、焦点検出エリア移動操作部２の焦点検出エリア移動方向を設定する。フォトインタラプタ７ａがＨｉｇｈ、フォトインタラプタ７ｂがＨｉｇｈのとき、操作方向２０ａが上方向の設定となり、その方向に対応するように２０ｂ、２０ｃ、２０ｄの操作方向を自動で決定する。押引き操作つまみ部１ａが回転し、検出板６ａ、６ｂの位置が、６０ｄ、６１ｄとなると、フォトインタラプタ７ａ、７ｂの信号が、Ｌｏｗ、Ｈｉｇｈになり、２０ｂが上方向に設定される。同様に、フォトインタラプタ７ａ、７ｂがＨｉｇｈ、Ｌｏｗのときは、２０ｃが上方向、フォトインタラプタ７ａ、７ｂがＬｏｗ、Ｌｏｗのときは、２０ｄが上方向と設定される。
【００１６】
以上のように、本実施例１によれば、押引き操作つまみ部１が回転しても、焦点検出エリア移動操作部２の方向と撮影画面内における焦点検出エリアの移動方向の相関関係がずれることがないため、撮影者は違和感なく、焦点検出エリアの移動が行える。
【実施例２】
【００１７】
第２の実施形態について、図５、図６に基づいて説明する。
【００１８】
本実施例２は、実施例１に対して、焦点検出エリア移動操作部２のみが異なり、焦点検出エリア位置指示部２１を有するものである。図６は、押引き操作つまみ部１ｂの撮影者３０に対向する面を表しており、中心には、焦点検出エリア位置指示部２１を具備している。ここでは、実施例１と異なる焦点検出エリア位置指示部２１の操作位置と、撮影画面内における焦点検出エリアの位置関係について説明する。
【００１９】
焦点検出エリア位置指示部２１は、撮影画面内における焦点検出エリアの位置に対応する９つのエリアを指示するスイッチである。図６の位置関係において、焦点検出エリア位置指示部２１ａ〜２１ｉは、左上から順番に配置されており、それぞれが、撮影画面内における焦点検出エリア位置に対応している。本実施例２では、実施例１と同様、フォトインタラプタ７ａ，７ｂを押引き操作つまみ１ｂの回転位置の判別に用いている。図の位置では、フォトインタラプタ７ａ、７ｂからＨｉｇｈ、Ｈｉｇｈ信号が出力され、２１ａが左上位置となり、２１ａの位置に対応するように、他の焦点検出エリア位置指示部の位置が自動で設定される。ここで、押引き操作つまみ部１ｂが回転し、フォトインタラプタ７ａ、７ｂの信号が、Ｌｏｗ、Ｈｉｇｈとなると、２１ｃが左上位置に設定される。同様に、フォトインタラプタ７ａ、７ｂの信号が、Ｈｉｇｈ、Ｌｏｗになると、２１ｉが左上位置に、フォトインタラプタ７ａ、７ｂの信号が、Ｌｏｗ、Ｌｏｗになると、２１ｄが左上位置に設定される。
【００２０】
実施例１、２では、回転位置の判別にフォトインタラプタと検出板を用いたが、スリップリングの接点形状によっては、スリップリングによって回転位置を判別することも可能であり、フォトインタラプタを不要としてもよい。
【００２１】
以上のように、本実施例２によれば、押引き操作つまみ部１が回転しても、焦点検出エリア位置指示部２１の位置と撮影画面内における焦点検出エリアの位置の相関関係が大きくずれることがないため、撮影者３０は違和感なく、焦点検出エリアの位置が指示できる。
【実施例３】
【００２２】
第３の実施形態について、図７〜図１０に基づいて説明する。
【００２３】
本実施例３は、実施例１に対し、押引き操作つまみ部１ａを押引き操作つまみ部１ｃとしたものである。図７は、本実施例におけるブロック図を示しており、図８は、押引き操作つまみ部１ｃの拡大断面図を表す。押引き操作つまみ部１ｃの中心には、実施例１同様に焦点検出エリア移動操作部２を有している。焦点検出エリア移動操作部２は、押引き操作つまみ制御部２２と接続している。押引き操作つまみ制御部２２には、焦点検出エリア移動操作部２の操作方向上方向を表示するＬＥＤ表示部２４と、レンズ制御部４２と制御信号の送受信を行う無線送受信部２５、それらに電源を供給する電源部２３が接続されている。図９は、押引き操作つまみ部１ｃの撮影者３０と対向する面を表しており、中心にある焦点検出エリア移動操作部２の周りには、焦点検出エリアの移動上方向に対応した焦点検出エリア移動操作部２の操作方向を表示するＬＥＤ表示部２４を有している。
【００２４】
図１０のフローチャートに基づいて、焦点検出エリア移動操作部２の操作方向と、撮影画面内における焦点検出エリアの移動方向の設定について説明する。ここでは、焦点検出エリア移動操作部２を十字スイッチと表現する。Ｓ１０１は、初期化を開始する処理であり、Ｓ１０２の処理に移る。Ｓ１０２は、ＬＥＤ表示部２４のすべてを点滅する処理であり、次にＳ１０３の処理に移る。Ｓ１０３は、十字スイッチが押されたかどうかを判断する処理であり、十字スイッチが押されるとＳ１０４の処理へ、押されていないとＳ１０１の処理に移る。Ｓ１０４は、Ｓ１０３の処理で押された十字スイッチの方向を、焦点検出エリアの移動方向を上方向に設定し、さらにその方向に対応したＬＥＤのみ点燈する処理であり、次にＳ１０５の処理に移る。例えば、図９においては、上方向をＬＥＤ２４ａの方向に設定しているので、ＬＥＤ２４ａのみ点燈する。Ｓ１０５は、操作棒３の回転角を押引き操作棒回転検出部４０にて検出し、θｓとして、記憶する処理であり、次にＳ１０６の処理に移る。Ｓ１０６にて、初期化処理を終了し、Ｓ１０７の処理に移る。Ｓ１０７は、押引き操作つまみ部１ｃを回転して、フォーカスが操作されたかどうかを判断する処理で、回転を検出すると、Ｓ１０８の処理へ、回転していないと、Ｓ１０７の処理へ移る。Ｓ１０８は、押引き操作棒回転検出部４０により操作棒３の回転角θｍを取得する処理であり、次のＳ１０９の処理に移る。Ｓ１０９は、Δθ＝θｍ−θｓとする処理であり、次のＳ１１０の処理に移る。Ｓ１１０の処理は、Δθが、ＬＥＤ表示部２４の角度間隔の１／２になったかどうかを判断する処理であり、１／２になったらＳ１１１の処理へ、１／２になっていなかったら、Ｓ１０７の処理へ移る。Ｓ１１１は、現在上方向としている十字スイッチ方向の隣接する十字スイッチ方向を上方向として設定し、さらにＬＥＤ表示部２４の点燈位置も隣接するＬＥＤへシフトする処理であり、次にＳ１１２の処理に移る。例えば、図８において、押引き操作つまみ部１ｃを時計方向に回転し、ＬＥＤの角度間隔の１／２（ここでは、２２．５°）になると、ＬＥＤ２４ｂの方向が上方向と設定され、ＬＥＤ２４ａが消灯し、ＬＥＤ２４ｂが点燈する。そして、上方向として設定されたＬＥＤ２４ｂに倣って、その他のスイッチ方向も方向設定を自動で変更する。Ｓ１１２は、十字スイッチの方向設定が変更されると、そのときの操作棒３の回転角をθｓとして設定する処理であり、次にＳ１０７の処理に移り、十字スイッチの方向設定を繰り返す。
【００２５】
本実施例３では、焦点検出エリア移動操作部２として、十字スイッチ式の操作部材を用い、操作方向を表示する手段として、ＬＥＤ表示を利用したが、表示変更が可能な液晶画面を持つタッチパネル式の操作部材としてもよい。
【００２６】
以上のように、本実施例３によれば、押引き操作つまみ部１ｃが回転しても、焦点検出エリア移動操作部２の方向と撮影画面内における焦点検出エリアの移動方向の相関関係がずれることがないため、撮影者３０は違和感なく、焦点検出エリアの移動が行える。
【実施例４】
【００２７】
第４の実施形態について、図１１、１２に基づいて説明する。
【００２８】
図１１は、本実施例４におけるブロック図を、図１２は、本実施例４における押引き操作つまみ部１ｄの拡大断面図をそれぞれ示している。
【００２９】
本実施例における操作棒３は、回転せず、軸方向への移動のみが可能となっており、その移動量は押引き操作棒リニア検出部４１により検出され、ズーム制御をしている。操作棒３の撮影者３０側の面には、実施例１と同様の焦点検出エリア移動操作部２を有しており、撮影画面内における焦点検出エリアの移動を操作する。操作棒３の外径には、ベアリング１２を介して、押引き操作ツマミ部１ｄが回転可能な形で具備されている。押引き操作つまみ部１ｄの操作棒３に対する回転角は、検出部ギア２６、つまみギア２７を介して、押引き操作つまみ回転検出部４４によって検出され、回転角に応じてフォーカス操作する。
【００３０】
以上のように、本実施例４によれば、押引き操作つまみ部１ｄが回転しても、回転固定されている操作棒３に焦点検出エリア移動操作部２があるため、焦点検出エリア移動操作部２は回転しない。そのため、焦点検出エリア移動操作部２の操作方向と、撮影画面内における焦点検出エリアの移動方向の相関関係が変わることがなく、撮影者３０は、違和感なく焦点検出エリアの移動が行える。
【００３１】
以上、本発明の好ましい実施例について説明したが、本発明はこれらの実施例に限定されないことはいうまでもなく、その要旨の範囲内で種々の変形及び変更が可能である。
【符号の説明】
【００３２】
１ａ〜１ｄ  押し引き操作つまみ部
２  焦点検出エリア移動操作部
３  操作棒
２１  焦点検出エリア位置指示部
３１  レンズ本体
４２  レンズ制御部
４３  合焦制御部
【図１】
2011123243.tif 000003
【図２】
2011123243.tif 000004
【図３】
2011123243.tif 000005
【図４】
2011123243.tif 000006
【図５】
2011123243.tif 000007
【図６】
2011123243.tif 000008
【図７】
2011123243.tif 000009
【図８】
2011123243.tif 000010
【図９】
2011123243.tif 000011
【図１０】
2011123243.tif 000012
【図１１】
2011123243.tif 000013
【図１２】
2011123243.tif 000014